(57)【要約】【課題】重要度の高い情報を他人が視認できないようにして画像データ処理を可能とする。【解決手段】画像データ処理システムは、画面サイズが小さい表示画面４を備える画像形成装置１と、操作性向上の為に準備された画面サイズが大きい表示画面５を備えるポート端末２と、処理される画像データの重要度を判定する情報処理装置３とを備えている。そして画像形成装置１でコピーやプリント等の処理を行う画像データを予め保持した定型データと比較し、重要度が高い画像であるかどうかを判断する。例えば処理される画像データの重要が高いと判断した場合、画面サイズが大きいポート端末２の表示画面５には表示を行わず、画面サイズが小さい画像形成装置１の表示画面４を使用して、画像全体のプレビュー表示を行う。これにより重要度の高い画像データについては、他人から見えにくい表示画面４に表示させることができる。【選択図】図１
2008113355.tif 000002
【特許請求の範囲】
【請求項１】
画像データに関する情報を所定の表示手段に表示し、該表示した情報に基づいて画像データを処理する画像データ処理装置であって、
前記画像データ処理装置は、
前記処理される画像データの重要度を判定する判定手段と、
該判定手段において判定される画像データの重要度に基づいて、前記表示手段に表示する画像データに関する情報の表示内容を制御する制御手段と、を備えていることを特徴とする画像データ処理装置。
【請求項２】
前記制御手段は、前記表示手段に表示する画像データに関する情報を、前記重要度に基づいて規制することを特徴とする請求項１に記載の画像データ処理装置。
【請求項３】
前記表示手段に表示する画像データに関する情報は、前記処理される画像データのプレビュー画像情報であることを特徴とする請求項１に記載の画像データ処理装置。
【請求項４】
前記画像データに関する情報を表示する前記表示手段として、第１の表示手段と、該第１の表示手段よりも画面サイズが小さい表示画面を備えた第２の表示手段とを使用可能であって、
前記判定手段により、前記処理される画像データの重要度が高いと判定された場合、前記制御手段は、前記第２の表示手段により、前記処理される画像データに関する情報を表示させることを特徴とする請求項１に記載の画像データ処理装置。
【請求項５】
前記画像データに関する情報を表示する前記表示手段として、第１の表示手段と、該第１の表示手段よりも画面サイズが小さい表示画面を備えた第２の表示手段とを使用可能であって、
前記判定手段により、前記処理される画像データの重要度が高いと判定された場合、
前記制御手段は、前記第１の表示手段により、前記処理される画像データに関する情報の全体像を前記第２の表示手段による表示画像よりも低解像度で表示させ、
前記第１の表示手段に表示した情報の一部分が選択された際に、該選択された情報を、前記第１の表示手段に表示させた解像度よりも高解像度で前記第２の表示手段に表示させることを特徴とする請求項１に記載の画像データ処理装置。
【請求項６】
前記画像データに関する情報を表示する前記表示手段として、第１の表示手段と、該第１の表示手段よりも画面サイズが小さい表示画面を備えた第２の表示手段とを使用可能であって、
前記画像データ処理装置は、機密モードに移行するための操作入力が可能であって、
前記制御手段は、前記操作入力に従って該画像データ処理装置が機密モードに移行しているときには、前記判定手段による判定結果に関わりなく、常に前記第２の表示手段により、前記処理される画像データに関する情報を表示させることを特徴とする請求項１に記載の画像データ処理装置。
【請求項７】
前記画像データに関する情報を表示する前記表示手段として、第１の表示手段と、該第１の表示手段よりも画面サイズが小さい表示画面を備えた第２の表示手段とを使用可能であって、
前記画像データ処理装置は、該画像データ処理装置を使用する利用者の識別情報を認証する認証手段を有し、
前記制御手段は、前記認証手段による認証が成功したときには、前記判定手段による判定結果に関わりなく、常に前記第２の表示手段により、前記処理される画像データに関する情報を表示させることを特徴とする請求項１に記載の画像データ処理装置。
【請求項８】
前記制御手段は、前記判定手段により前記処理される画像データの重要度が高いと判定された場合、前記表示手段の表示画面の全表示領域に対して、前記処理される画像データに関する情報の表示領域が小さくなるように制限することを特徴とする請求項１に記載の画像データ処理装置。
【請求項９】
前記制御手段は、前記判定手段により前記処理される画像データの重要度が高いと判定された場合、前記表示手段に表示する前記処理される画像データに関する情報の表示画面の明るさを低下させることを特徴とする請求項１に記載の画像データ処理装置。
【請求項１０】
前記判定手段は、前記処理される画像データと、予め保持している重要度が高い画像データとして規定した定型データとを比較して、前記処理される画像データと前記定型データとが一致しているときには、前記処理される画像データの重要度が高いものと判定することを特徴とする請求項１ないし９のいずれか１に記載の画像データ処理装置。
【請求項１１】
処理される画像データに関する情報を表示する表示手段を備え、該表示手段に表示される画像データに関する情報に基づいて画像データを処理する画像データ処理システムであって、
前記処理される画像データの重要度を判定する判定手段と、
該判定手段において判定される画像データの重要度に基づいて、前記表示手段に表示する画像データに関する情報の表示内容を制御する制御手段と、を備えていることを特徴とする画像データ処理システム。
【請求項１２】
前記表示手段は、第１の表示手段と、該第１の表示手段よりも画面サイズが小さい表示画面を備えた第２の表示手段とを有し、前記画像データ処理システムは、前記判定手段、前記制御手段、及び前記第２の表示手段を備える画像データ処理装置と、前記第１の表示手段を備える端末装置とにより構成されていることを特徴とする請求項１１に記載の画像データ処理システム。
【請求項１３】
処理される画像データの重要度を判定する判定ステップと、
前記判定ステップにおいて判定された画像データの重要度に基づいて、所定の表示手段に表示する画像データに関する情報の表示方法を決定する決定ステップと、
前記決定ステップにおいて決定された表示方法に基づいて、画像データに関する情報を表示する表示ステップと、
前記表示ステップにおいて表示された画像データに関する情報に基づいて、画像データを処理するステップと、
とを有することを特徴とする画像データ処理方法。
【発明の詳細な説明】
【技術分野】
【０００１】
本発明は、画像データ処理装置、画像データ処理システムおよび画像データ処理方法に関し、より詳細には、画像データの重要度に基づいて画像データに関する情報の表示内容を制御できるようにした技術に関する。
【背景技術】
【０００２】
最近、コンビニエンスストア等において、コピー機等の画像形成装置が設置され、コピーサービスが提供されている。また近年、画像形成装置のデジタル化が進み、原稿画像をスキャナ装置により電子的に走査してレーザプリンタなどによりプリントアウトするプリンタ機能、コピー機能、およびファクシミリ機能を備える複合機能型の画像形成装置が商品化されている。このようなデジタル化には、高画質出力が可能、画像の加工が自在、１スキャンマルチコピーが可能、原稿の電子データ保存が可能などのメリットがあり、このようなデジタル化のメリットを生かした新たなドキュメントサービスが市場に提案されている。
【０００３】
最近のコピーサービス用の画像形成装置においても、デジタル化、カラー化が進み、カラーデジタル複合機が一般的になってきている。そして、モノクロ原稿あるいはカラー原稿から白黒コピーやカラーコピー、さらには、ネットワークを介して入手した情報のカラープリントアウトなどのドキュメント出力サービスが提供されるようになってきた。
【０００４】
このような中で、コンビニプリント等のサービスでは、ユーザがプリント出力したい画像を比較的大きな表示画面に表示し、ユーザがその表示画面を見ながら画像の加工やプリントの指示を行うことにより、プリント出力する仕様となっている。
【０００５】
しかし、画像形成装置の進化に伴い、コンビニエンスストア等に設置される画像形成装置の機能が多様化し、表示画面も大型化した為、コピー画像が表示画面に表示されれば、機密情報等の重要度の高いコピー画像を他人に見られてしまうという問題も想定される。このような状況を鑑みて、画像形成装置における表示画面の表示方法の改善が望まれている。
【０００６】
例えば、特許文献１には、金銭取扱装置において顧客以外の者からは見えない位置に顧客の私的な情報を表示する第２の表示部を設け、汎用的な情報を表示する表示には、顧客の私的な情報以外の情報を表示するようにした金銭取扱装置が開示されている。
また、特許文献２には、表示先データを受信し、その表示先データを基に秘密情報表示手段または非秘密情報表示手段のうちの表示手段に情報を表示するかを制御する表示手段を備えた入力装置が開示されている。
【特許文献１】特開２００１−１９５６３２号公報
【特許文献２】特開２００１−１４７７５８号公報
【発明の開示】
【発明が解決しようとする課題】
【０００７】
上記のように、例えばコンビニエンスストア等の店舗において、あるユーザが機密情報等の重要度が高い画像のコピーを取得する為に画像形成装置を使用するとき、画像形成装置の比較的大きな表示画面に映し出されたコピー内容を他人に見られてしまうという不安を感じる。
これに対して機密情報等の重要度の高い情報のコピーを行う場合には、大きな画面サイズの表示画面には重要度の高い情報を表示させないようにすればよいが、このような思想に関しては上記特許文献１、２には何ら記載されていない。
【０００８】
本発明は、上述のごとき実情に鑑みてなされたものであり、表示画面に表示した画像データに関する情報に基づいて画像データを処理する際に、表示画面に表示する情報の表示内容を画像データの重要度に応じて制御できるようにすることにより、重要度の高い情報を他人が視認できないようにして画像データ処理を可能とした画像データ処理装置、画像データ処理システム、及び画像データ処理方法を提供することを目的とするものである。
【課題を解決するための手段】
【０００９】
上記課題を解決するために、本発明の第１の技術手段は、画像データに関する情報を所定の表示手段に表示し、表示した情報に基づいて画像データを処理する画像データ処理装置であって、画像データ処理装置は、処理される画像データの重要度を判定する判定手段と、判定手段において判定される画像データの重要度に基づいて、表示手段に表示する画像データに関する情報の表示内容を制御する制御手段と、を備えていることを特徴としたものである。
【００１０】
第２の技術手段は、第１の技術手段において、制御手段が、表示手段に表示する画像データに関する情報を、重要度に基づいて規制することを特徴としたものである。
【００１１】
第３の技術手段は、第１の技術手段において、表示手段に表示する画像データに関する情報が、処理される画像データのプレビュー画像情報であることを特徴としたものである。
【００１２】
第４の技術手段は、第１の技術手段において、画像データに関する情報を表示する表示手段として、第１の表示手段と、第１の表示手段よりも画面サイズが小さい表示画面を備えた第２の表示手段とを使用可能であって、判定手段により、処理される画像データの重要度が高いと判定された場合、制御手段が、第２の表示手段により、処理される画像データに関する情報を表示させることを特徴としたものである。
【００１３】
第５の技術手段は、第１の技術手段において、画像データに関する情報を表示する表示手段として、第１の表示手段と、第１の表示手段よりも画面サイズが小さい表示画面を備えた第２の表示手段とを使用可能であって、判定手段により、処理される画像データの重要度が高いと判定された場合、制御手段が、第１の表示手段により、処理される画像データに関する情報の全体像を第２の表示手段による表示画像よりも低解像度で表示させ、第１の表示手段に表示した情報の一部分が選択された際に、選択された情報を、第１の表示手段に表示させた解像度よりも高解像度で第２の表示手段に表示させることを特徴としたものである。
【００１４】
第６の技術手段は、第１の技術手段において、画像データに関する情報を表示する表示手段として、第１の表示手段と、第１の表示手段よりも画面サイズが小さい表示画面を備えた第２の表示手段とを使用可能であって、画像データ処理装置が、機密モードに移行するための操作入力が可能であって、制御手段は、操作入力に従って画像データ処理装置が機密モードに移行しているときには、判定手段による判定結果に関わりなく、常に第２の表示手段により、処理される画像データに関する情報を表示させることを特徴としたものである。
【００１５】
第７の技術手段は、第１の技術手段において、画像データに関する情報を表示する表示手段として、第１の表示手段と、第１の表示手段よりも画面サイズが小さい表示画面を備えた第２の表示手段とを使用可能であって、画像データ処理装置が、画像データ処理装置を使用する利用者の識別情報を認証する認証手段を有し、制御手段は、認証手段による認証が成功したときには、判定手段による判定結果に関わりなく、常に第２の表示手段により、処理される画像データに関する情報を表示させることを特徴としたものである。
【００１６】
第８の技術手段は、第１の技術手段において、制御手段が、判定手段により処理される画像データの重要度が高いと判定された場合、表示手段の表示画面の全表示領域に対して、処理される画像データに関する情報の表示領域が小さくなるように制限することを特徴としたものである。
【００１７】
第９の技術手段は、第１の技術手段において、制御手段が、判定手段により処理される画像データの重要度が高いと判定された場合、表示手段に表示する処理される画像データに関する情報の表示画面の明るさを低下させることを特徴としたものである。
【００１８】
第１０の技術手段は、第１ないし第９のいずれか１の技術手段において、判定手段が、処理される画像データと、予め保持している重要度が高い画像データとして規定した定型データとを比較して、処理される画像データと定型データとが一致しているときには、処理される画像データの重要度が高いものと判定することを特徴としたものである。
【００１９】
第１１の技術手段は、処理される画像データに関する情報を表示する表示手段を備え、表示手段に表示される画像データに関する情報に基づいて画像データを処理する画像データ処理システムであって、処理される画像データの重要度を判定する判定手段と、判定手段において判定される画像データの重要度に基づいて、表示手段に表示する画像データに関する情報の表示内容を制御する制御手段と、を備えていることを特徴としたものである。
【００２０】
第１２の技術手段は、第１１の技術手段において、表示手段は、第１の表示手段と、第１の表示手段よりも画面サイズが小さい表示画面を備えた第２の表示手段とを有し、画像データ処理システムが、判定手段、制御手段、及び第２の表示手段を備える画像データ処理装置と、第１の表示手段を備える端末装置とにより構成されていることを特徴としたものである。
【００２１】
第１３の技術手段は、処理される画像データの重要度を判定する判定ステップと、判定ステップにおいて判定された画像データの重要度に基づいて、所定の表示手段に表示する画像データに関する情報の表示方法を決定する決定ステップと、決定ステップにおいて決定された表示方法に基づいて、画像データに関する情報を表示する表示ステップと、表示ステップにおいて表示された画像データに関する情報に基づいて、画像データを処理するステップと、とを有することを特徴としたものである。
【発明の効果】
【００２２】
本発明によれば、表示画面に表示した画像データに関する情報に基づいて画像データを処理する際に、表示画面に表示する情報の表示内容を画像データの重要度に応じて制御できるようにすることにより、重要度の高い情報を他人が視認できないようにして画像データ処理を行うことができるようになる。
【発明を実施するための最良の形態】
【００２３】
図１は、本発明に係る画像データ処理システムの概要例を示す模式図である。図中、１はコンビニエンスストア等の店舗に設置される画像形成装置、２は画像形成装置１との間で通信が可能に設置される装置（以下、ポート端末とする）、３は処理される画像データの重要度を判定する情報処理装置、４は画像形成装置１が備えた画面サイズの小さい表示画面、５はポート端末２が備える表示画面である。
【００２４】
ポート端末２が備える表示画面５は、画像形成装置１が備える表示画面４よりも画面サイズの大きい大画面の表示が可能である。これにより処理する画像データに関する情報をユーザが視認しやすい状態で表示させることができる。
ポート端末２が備える表示画面５は本発明の第１の表示手段に該当し、画像形成装置１が備える表示画面４は本発明の第２の表示手段に該当する。また画像データの重要度を判定し、その重要度に基づいて表示手段に表示させる表示内容を制御する本発明に係る画像データ処理装置は、画像形成装置１と情報処理装置３とによって実施可能となる。
【００２５】
図２は、本発明による画像データ処理装置の実施形態である画像形成装置及び情報処理装置の構成例と、画像データ処理装置によって表示内容が制御されるポート端末の構成例とを示すブロック図である。また図３は、図２に示す画像形成装置１のハードウェアの構成例を説明するための図である。本例の画像形成装置は、コピー機能、プリント機能を備える複合機として構成されている。
【００２６】
まず図３を参照して画像形成装置の構成について説明する。
画像形成装置１の上面には透明なガラス体の原稿台１１７が配置されており、その下方には読み取り手段としてのスキャナ部１８が配置されている。スキャナ部１８は、露光ランプ１８１，第１反射ミラー１８２ａ、第２反射ミラー１８２ｂ、第３反射ミラー１８２ｃ、レンズ１８３、およびＣＣＤを用いてなる光電変換素子１８４を含む。
【００２７】
そしてスキャナ部１８は、露光ランプ１８１および第１反射ミラー１８２ａを原稿台１１７の下面において水平方向に往復運動させて、原稿台１１７上面に置かれた原稿の画像を露光ランプ１８１から照射された光によって露光走査する。なお、原稿台１１７の下部には、原稿台１１７に置かれた原稿のサイズを認識する認識センサ１８５が設けられている。
【００２８】
露光ランプ１８１による反射光は、第１反射ミラー１８２ａ乃至第３反射ミラー１８２ｃおよびレンズ１８３を介して光電変換素子１８４の受光面に結像し、光電変換素子１８４は、受光面における受光量に応じた信号を出力する。
ここで図２を参照する。図２のスキャナ部１８には、上記光電変換素子１８４が含まれている。光電変換素子１８４から出力された信号は、制御部１０のＡ／Ｄ変換器１７によりデジタル化され、ハードディスク等の記憶部１５内のコピーデータファイル１５ｄに記憶される。そして、操作パネル等の入力部１４から出力される操作信号に従って、記憶部１５のコピーデータファイル１５ｄから画像データを読み出す。読み出された画像データは、図３の光走査装置１１２へ出力される。
【００２９】
図２に示すように、画像形成装置１には、演算手段としてのＣＰＵ（Ｃｅｎｔｒａｌ  Ｐｒｏｃｅｓｓｉｎｇ  Ｕｎｉｔ）１１が備えられ、そのＣＰＵ１１には、バス２０を介してＲＡＭ（Ｒａｎｄｏｍ  Ａｃｃｅｓｓ  Ｍｅｍｏｒｙ）１３、ハードディスク等の記憶部１５、表示手段としての液晶ディスプレイ等の小さい画面サイズの表示部１６、並びに、テンキー，スタートキー等の各種入力キー，および表示部１６上に設けられるタッチパネル等から構成される操作入力手段としての入力部１４等が接続される。入力部１４には後述する機密モードキーが含まれ、その操作に応じて機密モードに移行することができる。画面サイズの小さい表示部１６の表示画面は、図１の表示画面４に相当する。
【００３０】
さらにＣＰＵ１３には、上記光電変換素子１８４（図３）からの信号をデジタル信号に変換するＡ／Ｄ変換器１７、時間情報をＣＰＵ１１へ出力する時計部（図示せず）および画像データに基づく変調光を感光体１０４（図３）へ照射する等により画像を記録紙Ｐに形成する画像形成部１９、ポート端末２と情報を送受信するためのＬＡＮカード等の通信ポート１２ｂ、コインベンダ等と情報を送受信するためのＲＳ２３２Ｃポート等の補助通信ポート１２ａが接続される。ＣＰＵ１１は、バス２０を介して接続された上述のハードウェア各部を制御すると共に、記憶部１５に記憶された制御プログラム１５ａに従って、種々のソフトウェア的機能を実行する。
【００３１】
記憶部１５には、コピー処理のためにスキャナ部１８で読み取られた画像データを記憶するコピーデータファイル１５ｄ、プリント処理を行うためにポート端末２から送信されたプリント用の印刷データを記憶する印刷データファイル１５ｂ、および画像データの機密度などの重要度の判定基準となる定型データファイル１５ｅが格納されている。さらに、記憶部１５には、プリント処理に関するガイダンスや手順案内等の情報、およびコピー処理に関するガイダンスや手順案内等の情報を記憶した案内情報ファイル１５ｃが格納されている。これらの案内情報は、ＣＰＵ１１により適宜読み出されて表示部１６または図示しない音声出力部から出力される。
【００３２】
続いて再度図３を参照しながら、トナー現像処理について説明する。画像形成装置１の略中央部には感光体１０４が矢印方向に回転自在に支持されている。この感光体１０４には、例えば、所定電圧に印加された導電性ブラシ等の帯電器１０５が接触可能に設けられており、帯電器１０５により感光体１０４の表面は所定電圧に帯電される。そして感光体１０４に、制御部１０のコピーデータファイル１５ｄまたは定型データファイル１５ｅから出力される画像データに基づいて変調された画像光を、遮光性のケースに覆われた光走査装置１１２から照射し、感光体１０４上に静電潜像を形成する。
【００３３】
トナーが貯留された現像槽１０６は、感光体１０４の表面に現像ローラ１０６ａを通じてトナーを供給し、静電潜像をトナー像に形成する。その後、感光体１０４の回転に先立って給紙ローラ１１６の回転によって給紙カセット１００内の記録紙Ｐが一枚ずつ用紙搬送路内に給紙される。給紙された記録紙Ｐは、レジストローラ１１３へ搬送される。なお、給紙カセット１００には、記録紙Ｐのサイズに応じて複数の給紙カセット１０１，１０２，１０３，…が設けられており、認識センサ１８５により認識されたサイズ、またはユーザが入力部１４により入力した記録紙Ｐのサイズに応じた給紙カセット１００が選択される。
【００３４】
ここで記録紙Ｐは、その前端部をレジストローラ１１３に当接した状態で停止しており、レジストローラ１１３は、所定のタイミングで回転して記録紙Ｐを感光体１０４方向へ導く。そして記録紙Ｐの表面に、感光体１０４に担持されたトナー像を所定の転写バイアスが印加された転写器１０７により転写する。転写された記録紙Ｐは定着ローラ１１４を通過する間に加熱および加圧される。これによりトナー像が溶融して記録紙Ｐの下面に固着する。
【００３５】
トナー像が固着された記録紙Ｐは排紙ローラ１１５により搬送され、そして多段の排紙トレイ１１０（１１０１，１１０２，…，１１０ｎ）に排出される。ここで両面コピーである場合は、表面の画像形成後、定着ローラ１１４の通過後、再度レジストローラ１１３へ搬送され、所定のタイミングで裏面の画像形成が開始される。なお、感光体１０４に残着したトナーはクリーナ１０８のクリーニングブレード１０９により除去される。なお、本実施例においては説明を簡略化するために、一色（黒色）のみの画像形成部１９について説明したが、カラーコピー機である場合同様の画像形成部１９がタンデム状に各色（シアン、マゼンダ、イエロー）分用意されている。
【００３６】
続いて、図２を参照しながら情報処理装置３について説明する。情報処理装置３は制御部３１、通信ポート３３、認証装置３２、判定プログラム記憶部３４により構成される。画像形成装置１のコピーデータファイル１５ｄ、印刷データファイル１５ｂ及び定型データファイル１５ｅを記憶部１５から通信ポート１２ａより送信し、情報処理装置３の通信ポート３３で受け取る。そして情報処理装置３の制御部３１と判定プログラム記憶部３４に記憶した判定プログラムとにより機密度の高い重要画像かどうかの判定を行う。
【００３７】
また、認証装置３２で認証カード等の認証が行われると、処理されるデータが重要度の高い情報を含むデータであるものとみなし、情報処理装置３の通信ポート３３より、画像形成装置１の画面サイズの小さい表示部１６で表示するように指示を行う。
【００３８】
次に、ポート端末２の構成例について説明する。図２に示すように、ポート端末２のＣＰＵ２１には、バス３０を介してＲＡＭ２５、ＲＯＭ２７、画像形成装置１と情報を送受信するためのＬＡＮカード等の通信ポート２２、タッチパネルを備えた液晶ディスプレイ等の比較的画面サイズが大きい表示部２４、キーボード等の入力部２３、そのほかリーダ２６、貨幣投入部２８、および印刷部２９が接続される。ＣＰＵ２１は、バス３０を介してポート端末２の上述したようなハードウェア各部と接続されていて、それらを制御すると共に、ＲＯＭ２７に格納された制御プログラム２７ａに従って、種々のソフトウェア的機能を実行する。画面サイズが大きい表示部２４の表示画面は、図１の表示画面５に相当する。
【００３９】
またＲＯＭ２７には画像形成装置１用のプリンタドライバ２７ｂがインストールされている。ポート端末２を用いて印刷を行う場合、ユーザが入力部２３を操作することによりＷｅｂサーバのネットワークアルバムからダウンロードされた印刷データ、または、リーダ２６に挿入されたＣＤ−ＲＯＭやメモリカード等の記録媒体から読み取った印刷データを画像形成装置１へ出力することにより、画像形成装置１にて印刷を実行させることができる。
【００４０】
印刷データが画像形成装置１に出力された後は、印刷部２９から印刷データを特定するための固有の識別情報、例えば４桁の暗証番号またはバーコードをレシートＲに印字して出力する。なお、識別情報の出力は、レシートＲに印字して出力する方法だけでなく、単に表示部２４に識別情報を表示する方法、または識別情報を図示しない赤外線通信部から、またはＢｌｕｅｔｏｏｔｈ等の通信手段を用いて、図示しない顧客の携帯電話、またはＰＤＡ（Ｐｅｒｓｏｎａｌ  Ｄｉｇｉｔａｌ  Ａｓｓｉｓｔａｎｔ）等へ送信するようにしてもよい。
【００４１】
本発明に係る画像データ処理システムは、ユーザがコピー処理を行いたい重要度の高い機密画像等が画面に表示されている場合、他人にその重要な画像を見られないようにすることを主たる目的としている。そしてそのために、画像データ処理システムは、画面サイズが小さい表示画面４を備える画像形成装置１と、操作性向上の為に準備された画面サイズが大きい表示画面５を備えるポート端末（端末装置）２と、処理される画像データの重要度を判定する情報処理装置３とを備えている。そして画像形成装置１のコピーデータファイル１５ｄ及び印刷データファイル１５ｂを定型データファイル１５ｅと比較し、重要度が高い画像であるかどうかを判定し、その判定結果に従って表示を行うように構成されている。
【００４２】
図４は、機密性が要求される重要の高い画像データの例を示すものである。図４（Ａ）に示す免許証の画像データ、図４（Ｂ）に示す保険証の画像データ、あるいは図４（Ｃ）に示す住民票の画像データは機密性が高く、情報処理装置３が保持する判定プログラムによって重要度が高い画像データとして判定される画像である。
【００４３】
この場合、図４に示すような重要度が高い画像データを定形データとして、画像形成装置１の定形データファイル１５ｅに記憶保持させておく。そしてユーザがコピーまたはプリントの際にプレビュー表示を行うときに、コピーデータファイル１５ｄまたは印刷データファイル１５ｂに記憶されているコピーまたはプリント用の画像データと、定型データファイル１５ｅの定形データと比較し、重要度が高い画像であるかどうかを判定する。
【００４４】
判定に際しては、画像データと定形データが同じであれば、その画像データの重要度が高いものと判定することができる。このときに定型データとして、重要な画像データが備える必須の画像部分を記憶させておくようにしてもよい。例えば、免許証が必ず備える枠や記載内容の部分のみを定型データに記憶しておき、その定型データに画像データが一致すれば、その画像データは免許証であるものと判定できるようにする。あるいは画像データと定形データと所定の条件範囲で類似している場合にもこれらが同じであるものとみなすようにしてもよい。以下にその判定結果に従う表示画面の制御例について説明する。
【００４５】
図５は、画像形成装置にコピーを行うときの場面の一例を示す図である。ユーザＵ１は、画像形成装置１を使用してコピーを行おうとしている。このときにコピーを行うためのプレビュー画像をポート端末２に表示させることにより、画面サイズの大きい表示画面５によって見やすく操作しやすい環境が得られる。しかしポート端末２の表示画面５を他人Ｕ２が見ていると、例えば重要度が高い機密画像などが他人に見られてしまう。
【００４６】
図６は、本発明による画像データ処理装置による画面表示制御の一例を説明するための図で、図６（Ａ）は第２の表示手段として使用される画像形成装置１の表示画面４の表示例、図６（Ｂ）は第１の表示手段として使用されるポート端末２の表示画面５の表示例を示すものである。
図６の例では、コピーデータまたは印刷データが定型データと同じである場合、すなわちコピーデータまたは印刷データが重要の高いデータ（機密画像データ）であるものと判断された場合、画面サイズが大きいポート端末２の表示画面５には表示を行わず、画面サイズが小さい画像形成装置１の表示画面４を使用して、画像全体のプレビュー表示を行うようにする。これにより、重要度の高い画像データについては、他人から見えにくい表示画面４に表示させることができる。
【００４７】
図７は、本発明による画像データ処理装置による画面表示制御の他の例を説明するための図で、図７（Ａ）は第２の表示手段として使用される画像形成装置１の表示画面４の表示例、図７（Ｂ）は第１の表示手段として使用されるポート端末２の表示画面５の表示例を示すものである。
図７の例では、コピーデータまたは印刷データが定型データと同じである場合、すなわちコピーデータまたは印刷データが重要度の高いデータ（機密画像データ）であるものと判断された場合、画面サイズが大きいポート端末２の表示画面５を使用して、低解像度で画像全体のプレビュー表示を行うようにする。
【００４８】
そしてユーザは、低解像度のプレビュー表示においてより詳細に内容を確認したい場合には、所定の選択操作によってプレビュー表示の特定の領域を選択することができる。画像形成装置１では、そのユーザ選択に従って、画像形成装置１の表示画面４に対して選択された領域の画像を高解像度で表示させる。
これにより、重要度の高い画像データについては、ポート端末２の表示画面５に低解像度で表示することで、他人から見えにくい表示を行うことができる。ユーザは低解像度の画面のなかでより詳細に見たい領域があれば、画像形成装置１の高解像度の表示画面４でこれを確認することができる。
【００４９】
図８は、本発明による画像データ処理装置による画面表示制御の更に他の例を説明するための図で、第２の表示手段として使用される画像形成装置の表示画面４の表示例を示すものである。
図８の例では、タッチパネルが付加されている画像形成装置１の表示画面４に“機密モードキー”を設け、この“機密モードキー”を操作することにより機密モードに移行することができるようにする。“機密モードキー”が操作された機密モードに移行しているときには、全てのコピーデータおよび印刷データは重要度が高いデータ（機密データ）とみなす。
【００５０】
この場合、コピーデータまたは印刷データと定型データとの比較は行わず、また行ってもその結果を無視する。そして重要度が高いとみなした画像データは、画面サイズが小さい画像形成装置１の表示画面４により、画像全体のプレビュー表示を行うようにする。これにより“機密モードキー”を操作するだけで、ポート端末２の表示画面５を使用せずに画像形成装置１の表示画面４を用いてプレビュー表示を行わせることができる。
【００５１】
図９は、本発明による画像データ処理装置による画面表示制御の更に他の例を説明するための図で、第１の表示手段として使用されるポート端末２の表示画面５の表示例を示すものである。
図９の例では、コピーデータまたは印刷データが定型データと同じである場合、すなわちコピーデータまたは印刷データが重要度が高いデータ（機密画像データ）であるものと判断された場合、画面サイズが大きいポート端末２の表示画面５を使用して、画面の明るさを低下させて（暗い画面で）画像全体のプレビューを表示する（図９（Ａ））。またコピーデータまたは印刷データが重要度が高いデータ（機密画像データ）ではないものと判断された場合、ポート端末２の表示画面５を使用して通常の画面の明るさでプレビュー表示を行う（図９（Ｂ））。
【００５２】
ここでいう明るさを低下させた画面とは、表示画面が通常の明るさより暗く表示されることを意味し、例えば表示画面が液晶表示装置の場合にバックライト光源の発光輝度を制御することにより、画面の明るさを制御することができる。あるいは、表示画面に表示させる映像信号を調整して表示画像の輝度レベルを変化させることにより、画面の明るさを制御するようにしてもよい。
【００５３】
図１０は、本発明の画像データ処理システムによる画像データ処理例を説明するためのフローチャートである。
まず画像形成装置１は、原稿もしくは印字データがセットされて（ステップＳ１）、コピーモードを設定した後（ステップＳ２）、入力部１４のスタートキーが押下されることによりプレビュー処理をスタートする（ステップＳ３）。
【００５４】
コピーがスタートすると、画像形成装置１のスキャナ部１８、またはポート端末２のリーダ２６によって原稿の画像データを取り込む。そして画像形成装置１の記憶部１５のコピーデータファイル１５ｄまたは印刷データファイル１５ｂに、取り込んだ画像データを保存する（ステップＳ４）。
【００５５】
そして、保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置の判定プログラム記憶部３４に記憶した判定プログラムにより、画像データが定型データと同じかどうかを自動的に比較する（ステップＳ５）。
【００５６】
そして、取り込んだ画像データが定型データでなければ（ステップＳ６−ＮＯ）、画面サイズが大きい第１の表示手段、すなわちポート端末２の表示画面５に画像全体のプレビュー表示を行う（ステップＳ７）。一方、取り込んだ画像データが定形データであれば（ステップＳ６−ＹＥＳ）、画面サイズが小さい表示画面である第２の表示手段、すなわち画像形成装置１の表示画面４に画像全体のプレビュー表示を行う（ステップＳ８）。
【００５７】
そして画像形成装置１の表示画面４またはポート端末２の表示画面５に、コピー可能である旨を示すメッセージを表示し、コピーＯＫであるかどうかを判別する（ステップＳ９）。このメッセージの例として、例えば「プリント出力可能です。プレビュー表示に問題がなければコピーボタンを押して下さい。」などが用いられる。
【００５８】
そしてプレビュー表示に問題があればコピーモード設定（ステップＳ２）に戻り、プレビュー表示に問題がなければコピースタートし（ステップＳ１０）、コピーを完了させる（ステップＳ１１）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００５９】
図１１は、本発明による画像データ処理システムによる他の処理例を説明するためのフローチャートである。
画像形成装置１は、原稿がセットされ、もしくは印字データがセットされて（ステップＳ２１）、コピーモードを設定した後（ステップＳ２２）、入力部１４のスタートキーが押下されることによりプレビュー処理をスタートする（ステップＳ２３）。
【００６０】
そしてコピーがスタートすると、画像形成装置１のスキャナ部１８またはポート端末２のリーダ２６によって原稿の画像データを取り込んで、画像形成装置１の記憶部１５のコピーデータファイル１５ｄまたは印刷データファイル１５ｂにその画像データを保存する（ステップＳ２４）。そして保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置の判定プログラム記憶部３４に記憶した判定プログラムを使用して、画像データが定型データかどうかを自動的に比較する（ステップＳ２５）。
【００６１】
そして、取り込んだ画像データが定型データでなければ（ステップＳ２６−ＮＯ）、画面サイズが大きい第１の表示手段（ポート端末２の表示画面５）に画像全体のプレビュー表示を行う（ステップＳ２７）。このときのプレビュー表示は、意図的に解像度を落とすことなく、高解像度でプレビュー画面を表示させるようにする。
【００６２】
一方、取り込んだ画像データが定形データである場合（ステップＳ２６−ＹＥＳ）、画面サイズが大きい第１の表示手段（ポート端末２の表示画面５）に、画像全体のプレビューを低解像度で表示する（ステップＳ２８）。つまり、取り込んだ画像データが定形データであり、従って画像データが機密データである場合には、画面サイズの大きいポート端末２の表示画面５に低解像度でプレビュー表示を行い、機密データではない場合には、視認性のよい高解像度でプレビュー表示を行うようにする。
【００６３】
そして第１の表示手段（ポート端末２の表示画面５）に低解像度でプレビュー表示を行った後、ユーザによる選択領域を第２の表示手段（画像形成装置１の表示画面４）に表示する。第２の表示手段においては高解像度で視認しやすい画像を表示する。
ここではユーザは、第１の表示手段に表示させた低解像度のプレビュー画面から、さらに詳細に内容を確認したい領域を選択して第２の表示手段に高解像度で表示させることができる。領域の選択を行うための手段としては、例えば、ポート端末２の表示画面５に設けられたタッチパネルや、他の入力操作キー、あるいはポインティングデバイスなどを適宜適用することができる。
【００６４】
そしてさらに第１の表示手段のプレビュー画面において他の領域が選択されたかどうかを判別し（ステップＳ３０）、他の領域が選択されていればその領域を第２の表示手段に高解像度で表示し、選択されていなければ、画像形成装置１の表示画面４またはポート端末２の表示画面５に、コピー可能である旨を示すメッセージを表示し、コピーＯＫであるかどうかを判別する（ステップＳ２１）。このメッセージの例として、例えば「プリント出力可能です。プレビュー表示に問題がなければコピーボタンを押して下さい。」などが用いられる。
【００６５】
そしてプレビュー表示に問題があればコピーモード設定（ステップＳ２１）に戻り、プレビュー表示に問題がなければコピースタートし（ステップＳ３２）、コピーを完了させる（ステップＳ３３）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００６６】
図１２は、本発明による画像データ処理システムによる更に他の処理例を説明するためのフローチャートである。
まず画像形成装置１は、原稿がセットされ、もしくは印字データがセットされて（ステップＳ４１）、コピーモードを設定した後（ステップＳ４２）、画像形成装置１が機密モードになっているかどうかを判別する（ステップＳ４３）。画像形成装置１では、入力部１４に設定されている機密モードキーが押下されたときにＣＰＵ１１の制御によって機密モードに移行する。
【００６７】
機密モードに移行している場合、入力部１４のスタートキーが押下されることによりプレビュー処理をスタートする（ステップＳ４８）。
そしてコピーがスタートすると、画像形成装置１のスキャナ部１８またはポート端末２のリーダ２６によって原稿の画像データを取り込んで、画像形成装置１の記憶部１５のコピーデータファイル１５ｄまたは印刷データファイル１５ｂにその画像データを保存する（ステップＳ４９）。そして取り込んだ画像データを、画面サイズが小さい第２の表示手段（画像形成装置１の表示画面４）に画像全体のプレビュー表示を行う（ステップＳ５０）。
【００６８】
一方、上記ステップＳ４３で機密モードではない場合、入力部１４のスタートキーが押下されることによりプレビュー処理をスタートする（ステップＳ４４）。
そしてコピーがスタートすると、画像形成装置１のスキャナ部１８またはポート端末２のリーダ２６によって原稿の画像データを取り込んで、画像形成装置１の記憶部１５のコピーデータファイル１５ｄまたは印刷データファイル１５ｂにその画像データを保存する（ステップＳ４５）。
【００６９】
そして保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置の判定プログラム記憶部３４に記憶した判定プログラムを使用して、画像データが定型データかどうかを自動的に比較する（ステップＳ４６）。
【００７０】
ここで取り込んだ画像データが定型データでなければ（ステップＳ４７−ＮＯ）、画面サイズが大きい第１の表示手段（ポート端末２の表示画面５）に画像全体のプレビュー表示を行う（ステップＳ５１）。
【００７１】
一方、取り込んだ画像データが定形データである場合（ステップＳ４７−ＹＥＳ）、画面サイズが小さい第２の表示手段（画像形成装置１の表示画面４）に、画像全体のプレビューを表示する（ステップＳ５０）。つまり、取り込んだ画像データが機密データである場合には、画面サイズが小さい画像形成装置１の表示画面４に表示を行い、機密データではない場合には、画面サイズが大きいポート端末２の表示画面５にプレビュー表示を行うようにする。
【００７２】
そして画像形成装置１の表示画面４またはポート端末２の表示画面５に、コピー可能である旨を示すメッセージを表示し、コピーＯＫであるかどうかを判別する（ステップＳ５２）。このメッセージの例として、例えば「プリント出力可能です。プレビュー表示に問題がなければコピーボタンを押して下さい。」などが用いられる。
【００７３】
そしてプレビュー表示に問題があればコピーモード設定（ステップＳ４２）に戻り、プレビュー表示に問題がなければコピースタートし（ステップＳ５３）、コピーを完了させる（ステップＳ５４）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００７４】
図１３は、本発明による画像データ処理システムによる更に他の処理例を説明するためのフローチャートである。
まず画像形成装置１は、原稿がセットされ、もしくは印字データがセットされて（ステップＳ６１）、コピーモードを設定した後（ステップＳ６２）、会員認証を行う（ステップＳ６３）。この場合、例えばコピーサービスやプリントサービスを提供するサービスプロバイダーが、会員サービスを提供している場合、その会員サービスにユーザが入会しているかどうかを認証する処理を行う。
【００７５】
認証情報は例えばＩＣカードやＵＳＢメモリなどの媒体に保持させておき、会員であるユーザは、情報処理装置３に設けられたスロットなどのインタフェースを用いて媒体に記録させた個人の識別情報を情報処理装置３に読み込ませる。
情報処理装置３では、ＩＣカードやＵＳＢ等の媒体から読み込んだ認証情報を用いて会員であるかどうかの認証を行う。認証を行うための認証情報は、情報処理装置３で保持していてもよく、また遠隔の認証サーバに接続して認証を行うなどの形態をとることができる。
【００７６】
そして会員認証が成功した場合、入力部１４のスタートキーが押下されることによりプレビュー処理をスタートする（ステップＳ６８）。
そしてコピーがスタートすると、画像形成装置１のスキャナ部１８またはポート端末２のリーダ２６によって原稿の画像データを取り込んで、画像形成装置１の記憶部１５のコピーデータファイル１５ｄまたは印刷データファイル１５ｂにその画像データを保存する（ステップＳ６９）。そして取り込んだ画像データを用いて、画面サイズが小さい第２の表示手段（画像形成装置１の表示画面４）に画像全体のプレビュー表示を行う（ステップＳ７０）。
【００７７】
一方、上記ステップＳ６３で会員認証に失敗した場合、入力部１４のスタートキーが押下されることによりプレビュー処理をスタートする（ステップＳ６４）。
そしてコピーがスタートすると、画像形成装置１のスキャナ部１８またはポート端末２のリーダ２６によって原稿の画像データを取り込んで、画像形成装置１の記憶部１５のコピーデータファイル１５ｄまたは印刷データファイル１５ｂにその画像データを保存する（ステップＳ６５）。
【００７８】
そして保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置３の判定プログラム記憶部３４に記憶した判定プログラムを使用して、画像データが定型データかどうかを自動的に比較する（ステップＳ６６）。
【００７９】
ここで取り込んだ画像データが定型データでなければ（ステップＳ６７−ＮＯ）、画面サイズが大きい第１の表示手段（ポート端末２の表示画面５）に画像全体のプレビュー表示を行う（ステップＳ７１）。
一方、取り込んだ画像データが定形データである場合（ステップＳ６７−ＹＥＳ）、画面サイズが小さい第２の表示手段（画像形成装置１の表示画面４）に、画像全体のプレビューを表示する（ステップＳ７０）。
【００８０】
つまり会員認証に成功したとき、あるいは会員認証に失敗してもその画像データが機密データあると判断されたときには、画面サイズが小さい画像形成装置１の表示画面４にプレビュー表示を行い、会員認証に失敗し、さらに取り込んだ画像データが機密データではない場合には、画面サイズが大きいポート端末２の表示画面５にプレビュー表示を行うようにする。
【００８１】
そして画像形成装置１の表示画面４またはポート端末２の表示画面５に、コピー可能である旨を示すメッセージを表示し、コピーＯＫであるかどうかを判別する（ステップＳ７２）。このメッセージの例として、例えば「プリント出力可能です。プレビュー表示に問題がなければコピーボタンを押して下さい。」などが用いられる。
【００８２】
そしてプレビュー表示に問題があればコピーモード設定（ステップＳ６２）に戻り、プレビュー表示に問題がなければコピースタートし（ステップＳ７３）、コピーを完了させる（ステップＳ７４）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００８３】
図１４は、本発明による画像データ処理システムによる更に他の処理例を説明するためのフローチャートである。
まず画像形成装置１は、原稿がセットされ、もしくは印字データがセットされて（ステップＳ８１）、コピーモードを設定した後（ステップＳ８２）、入力部１４のスタートキーが押下されることによりプレビュー処理をスタートする（ステップＳ８３）。
【００８４】
コピーがスタートすると、画像形成装置１のスキャナ部１８、またはポート端末２のリーダ２６によって原稿の画像データを取り込む。そして画像形成装置１の記憶部１５のコピーデータファイル１５ｄまたは印刷データファイル１５ｂに取り込んだ画像データを保存する（ステップＳ８４）。
【００８５】
そして、保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置の判定プログラム記憶部３４に記憶した判定プログラムを使用して、画像データが定型データかどうかを自動的に比較する（ステップＳ８５）。
【００８６】
そして、取り込んだ画像データが定型データでなければ（ステップＳ８６−ＮＯ）、画面サイズが大きい第１の表示手段（ポート端末２の表示画面５）に、大きな画像サイズで画像全体のプレビュー表示を行う（ステップＳ８７）。
一方、取り込んだ画像データが定形データであれば（ステップＳ８６−ＹＥＳ）、同じく画面サイズが大きい第１の表示手段（ポート端末２の表示画面８８）に、小さな画像サイズで画像全体のプレビュー表示を行う（ステップＳ８）。つまり本例ではいずれの場合にも、ポート端末２の表示画面５に画像データをプレビュー表示させるが、機密データではない場合には、表示画像のサイズを大きくして視認性を良くし、機密データである場合には、表示画像のサイズを小さくして機密性を優先させる。
【００８７】
そして画像形成装置１の表示画面４またはポート端末２の表示画面５に、コピー可能である旨を示すメッセージを表示し、コピーＯＫであるかどうかを判別する（ステップＳ８９）。このメッセージの例として、例えば「プリント出力可能です。プレビュー表示に問題がなければコピーボタンを押して下さい。」などが用いられる。
【００８８】
そしてプレビュー表示に問題があればコピーモード設定（ステップＳ８２）に戻り、プレビュー表示に問題がなければコピースタートし（ステップＳ９０）、コピーを完了させる（ステップＳ９１）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００８９】
図１５は、本発明による画像データ処理システムによる更に他の処理例を説明するためのフローチャートである。
まず画像形成装置１は、原稿がセットされ、もしくは印字データがセットされて（ステップＳ１０１）、コピーモードを設定した後（ステップＳ１０２）、入力部１４のスタートキーが押下されることによりプレビュー処理をスタートする（ステップＳ１０３）。
【００９０】
コピーがスタートすると、画像形成装置１のスキャナ部１８、またはポート端末２のリーダ２６によって原稿の画像データを取り込む。そして画像形成装置１の記憶部１５のコピーデータファイル１５ｄまたは印刷データファイル１５ｂに取り込んだ画像データを保存する（ステップＳ１０４）。
【００９１】
そして、保存した画像データファイルと、同じ記憶部１５に保存されている定型データファイル１５ｅとを画像形成装置１の補助通信ポート１２ａから情報処理装置３に送信し、情報処理装置３の通信ポート３３で受信して、情報処理装置の判定プログラム記憶部３４に記憶した判定プログラムを使用して、画像データが定型データかどうかを自動的に比較する（ステップＳ１０５）。
【００９２】
そして、取り込んだ画像データが定型データでなければ（ステップＳ１０６−ＮＯ）、画面サイズが大きい第１の表示手段（ポート端末２の表示画面５）に、画像全体のプレビュー表示を行う（ステップＳ１０７）。この場合、画面の明るさは通常レベルの明るさとする。
一方、取り込んだ画像データが定形データであれば（ステップＳ１０６−ＹＥＳ）、同じく画面サイズが大きい第１の表示手段（ポート端末２の表示画面５）に、画像の明るさを低下させて画像全体のプレビュー表示を行う（ステップＳ１０８）。
【００９３】
つまり本例ではいずれの場合にも、ポート端末２の表示画面５に画像データをプレビュー表示させるが、機密データではない場合には、画面の明るさを通常レベルとして視認性を良くし、機密データである場合には、画面の明るさを低下させて機密性を優先させる。画面の明るさを制御する場合には、上述ようにバックライト光源の発光輝度を制御したり、表示画面に表示させる映像信号を調整して表示画像の輝度レベルを変化させることにより、画面の明るさを制御することができる。
【００９４】
そして画像形成装置１の表示画面４またはポート端末２の表示画面５に、コピー可能である旨を示すメッセージを表示し、コピーＯＫであるかどうかを判別する（ステップＳ１０９）。このメッセージの例として、例えば「プリント出力可能です。プレビュー表示に問題がなければコピーボタンを押して下さい。」などが用いられる。
【００９５】
そしてプレビュー表示に問題があればコピーモード設定（ステップＳ１０２）に戻り、プレビュー表示に問題がなければコピースタートし（ステップＳ１１０）、コピーを完了させる（ステップＳ１１１）。この場合、プレビュー表示に問題があって再度コピーを行うか、もしくはプレビュー表示に問題がなくコピーをスタートするかの判断は、プレビュー表示を行った後の所定のユーザ操作に従うものとする。
【００９６】
以上説明したように、本発明によれば、小さな画面サイズの表示画面４を備える画像形成装置１と、大きな画面サイズの表示画面５を備えるポート端末２と、処理される画像データの重要（機密）度を判定する情報処理装置３とによって、情報処理装置３が表示画面を選択して、その表示条件を制御することができるため、他のユーザに機密情報を見られることなく安全にコピーやプリント処理を実行することができる。
【図面の簡単な説明】
【００９７】
【図１】本発明に係る画像データ処理システムの概要例を示す模式図である。
【図２】本発明による画像データ処理装置の実施形態である画像形成装置及び情報処理装置の構成例と、画像データ処理装置によって表示内容が制御されるポート端末の構成例とを示すブロック図である。
【図３】図２に示す画像形成装置のハードウェアの構成例を説明するための図である。
【図４】機密性が要求される重要の高い画像データの例を示すものである。
【図５】画像形成装置にコピーを行うときの場面の一例を示す図である。
【図６】本発明による画像データ処理装置による画面表示制御の一例を説明するための図である。
【図７】本発明による画像データ処理装置による画面表示制御の他の例を説明するための図である。
【図８】本発明による画像データ処理装置による画面表示制御の更に他の例を説明するための図である。
【図９】本発明による画像データ処理装置による画面表示制御の更に他の例を説明するための図である。
【図１０】本発明の画像データ処理システムによる画像データ処理例を説明するためのフローチャートである。
【図１１】本発明による画像データ処理システムによる他の処理例を説明するためのフローチャートである。
【図１２】本発明による画像データ処理システムによる更に他の処理例を説明するためのフローチャートである。
【図１３】本発明による画像データ処理システムによる更に他の処理例を説明するためのフローチャートである。
【図１４】本発明による画像データ処理システムによる更に他の処理例を説明するためのフローチャートである。
【図１５】本発明による画像データ処理システムによる更に他の処理例を説明するためのフローチャートである。
【符号の説明】
【００９８】
１…画像形成装置、２…ポート端末、３…情報処理装置、４…表示画面、５…表示画面、１０…制御部、１１…ＣＰＵ、１２ａ…補助通信ポート、１２ｂ…通信ポート、１３…ＣＰＵ、１４…入力部、１５…記憶部、１５ａ…制御プログラム、１５ｂ…印刷データファイル、１５ｃ…案内情報ファイル、１５ｄ…コピーデータファイル、１５ｅ…定形データファイル、１６…表示部、１７…Ｄ変換器、１８…スキャナ部、１９…画像形成部、２０…バス、２１…ＣＰＵ、２２…通信ポート、２３…入力部、２４…表示部、２５…ＲＡＭ、２６…リーダ、２７…ＲＯＭ、２７ａ…制御プログラム、２７ｂ…プリンタドライバ、２８…貨幣投入部、２９…印刷部、３０…バス、３１…制御部、３２…認証装置、３３…通信ポート、３４…判定プログラム記憶部、１００，１０１，１０２，１０３…給紙カセット、１０４…感光体、１０５…帯電器、１０６…現像槽、１０６ａ…現像ローラ、１０７…転写器、１０８…クリーナ、１０９…クリーニングブレード、１１０…排紙トレイ、１１２…光走査装置、１１３…レジストローラ、１１４…定着ローラ、１１５…排紙ローラ、１１６…給紙ローラ、１１７…原稿台、１８１…露光ランプ、１８２ａ，１８２ｂ，１８２ｃ…反射ミラー、１８３…レンズ、１８４…光電変換素子、１８５…認識センサ。
【図１】
2008113355.tif 000003
【図２】
2008113355.tif 000004
【図３】
2008113355.tif 000005
【図４】
2008113355.tif 000006
【図５】
2008113355.tif 000007
【図６】
2008113355.tif 000008
【図７】
2008113355.tif 000009
【図８】
2008113355.tif 000010
【図９】
2008113355.tif 000011
【図１０】
2008113355.tif 000012
【図１１】
2008113355.tif 000013
【図１２】
2008113355.tif 000014
【図１３】
2008113355.tif 000015
【図１４】
2008113355.tif 000016
【図１５】
2008113355.tif 000017